(57)【要約】【課題】  シート材（用紙等）の搬送に異常があり、搬送路のうち所定箇所以外の箇所が搬送異常の原因である場合、所定箇所にあるシート材を下流の処理部へ搬送可能にする。【解決手段】  画像形成装置では、搬送異常であるジャムを検知すると、残存する全用紙の搬送を停止させる（Ｓ１）。その後、ジャムをレジストセンサ又は定着出口センサで検知していない場合（Ｓ２）、所定箇所以外の箇所がジャムの原因であれば、レジストセンサ，定着出口センサ以外の残紙検知対象センサで残紙の検知を行う（Ｓ７，Ｓ４）。そして、残紙があれば（Ｓ５）、その位置を操作部上に表示して残紙除去を促す通知を行う（Ｓ６）。残紙がなくなると（Ｓ５）、所定箇所以外の箇所から搬送中の用紙除去を判断し、所定箇所にある用紙を下流の処理部である定着部２０へ搬送する（Ｓ８〜Ｓ１２）。【選択図】        図４
2014038144.tif 000002
【特許請求の範囲】
【請求項１】
シート材を所定の搬送路に沿って複数の処理部に順次搬送するシート材搬送装置であって、
前記シート材の搬送異常を検出した場合に搬送を停止させる停止手段と、
前記搬送路のうち所定箇所以外の箇所が搬送異常の原因である場合には、前記停止手段がシート材の搬送を停止させた後、前記搬送路のうち前記所定箇所以外の箇所から搬送中のシート材が除去されたことを検出すると、前記所定箇所にあるシート材を該所定箇所の下流の処理部へ搬送することを特徴とするシート材搬送装置。
【請求項２】
請求項１に記載のシート材搬送装置において、
前記搬送路のうち所定箇所以外の箇所が搬送異常の原因である場合に、前記停止手段がシート材の搬送を停止させた後、前記搬送路上にあるシート材の位置を検出し、ユーザに前記搬送路のうち前記所定箇所以外の箇所にあるシート材を除去することを促す通知を行う通知手段を備えることを特徴とするシート材搬送装置。
【請求項３】
請求項２に記載のシート材搬送装置において、
前記通知手段は、前記搬送路のうち前記所定箇所にシート材があっても、該シート材については除去することを促す通知を行わないことを特徴とするシート材搬送装置。
【請求項４】
請求項１乃至３のいずれか一項に記載のシート材搬送装置において、
前記停止手段がシート材の搬送を停止させた後、前記シート材の搬送に異常が発生した箇所よりも上流側の再使用可能な位置に搬送中のシート材がある場合、そのシート材を上流側へ逆搬送して搬送開始位置へ戻す手段を備えることを特徴とするシート材搬送装置。
【請求項５】
請求項１乃至４のいずれか一項に記載のシート材搬送装置において、
前記搬送路上のシート材の搬送状況を検出する搬送状況検出手段と、
前記停止手段がシート材の搬送を停止させた後、前記搬送状況の検出結果に基づき、前記搬送路上に停止しているシート材にダメージがないと判断した場合、該停止しているシート材について搬送を再開することを特徴とするシート材搬送装置。
【請求項６】
請求項１乃至５のいずれか一項に記載のシート材搬送装置を備えた画像形成装置。
【請求項７】
請求項６に記載の画像形成装置において、
前記処理部として少なくとも、トナー画像を前記シート材に転写する転写部と、該転写したトナー画像を該シート材に定着させる定着部とを備え、
前記搬送路のうち前記所定箇所は、前記シート材に転写されたトナー画像が未定着の状態で前記シート材に付着している箇所であることを特徴とする画像形成装置。
【請求項８】
請求項７に記載の画像形成装置であって、
前記転写部より上流側で前記シート材の搬送に異常が発生した場合、前記停止手段による搬送の停止に関わらず、その異常発生箇所より下流側では搬送完了までシート材の搬送を続けることを特徴とする画像形成装置。
【請求項９】
請求項６又は７に記載の画像形成装置であって、
前記搬送路のうち前記所定箇所以外の箇所から搬送中のシート材が除去されたことを検出したことに応じて前記所定箇所のシート材を前記下流の処理部である定着部へ搬送する場合、該定着部の定着温度を通常の搬送時よりも低くすることを特徴とする画像形成装置。
【発明の詳細な説明】
【技術分野】
【０００１】
この発明は、シート材搬送装置と、それを備えた画像形成装置に関する。
【背景技術】
【０００２】
例えば、電子写真方式の画像形成装置では、用紙を搬送する用紙搬送部と、像担持体である感光体の周囲に帯電，露光，現像，転写をそれぞれ行う各処理部を設けた作像部と、用紙上のトナー画像の定着を行う定着部とを備え、例えば次のような作像を含む一連の画像形成（以下「印刷」ともいう）処理を行っている。
すなわち、まず副走査方向に移動するドラム状又はベルト状の感光体を帯電部によって均一に帯電する。なお、ドラム状の感光体等の部材（回転部材）が副走査方向に移動することを「回転する」又は「回動する」ともいう。また、ベルト状の感光体等の部材（ベルト部材）が副走査方向に移動することを「回動する」ともいう。
【０００３】
次に、露光部においては、光源の発光素子から射出される画像データに応じて変調された光ビームを回転多面鏡等の偏向手段を用いて周期的に偏向させ、感光体の帯電面を副走査方向に直交する主走査方向に反復走査（主走査）して露光する。それによって、感光体の帯電面に光ビームによる静電画像が書き込まれる。そして、その静電画像を現像部からのトナーで現像してトナー画像（「トナー像」ともいう）とし、転写部により、シート材である用紙に転写する。そのトナー画像が転写された用紙は、定着部を通してそのトナー画像が定着され、機外に排出される。
【０００４】
このような画像形成処理を行う画像形成装置では、その画像形成処理中に搬送異常である用紙の紙詰まり（以下「ジャム」ともいう）が発生することがある。この場合、画像形成処理は自動的に停止し、ユーザにジャムの発生およびその発生位置、また搬送路上に残留する用紙（以下「残紙」ともいう）の位置が通知されるので、ユーザは残紙を除去して装置を復旧させる必要がある。
そのため、ジャムが発生したときには、搬送路（「搬送経路」ともいう）上の全ての残紙をユーザが１枚１枚引っ張り出さなければならず、手間となっていた。
【０００５】
そこで、残紙を自動的に搬送して機外に排紙する技術が考えられ、既に知られている。
また、例えば特許文献１〜４に記載の画像形成装置も開示されている。
特許文献１に記載の画像形成装置では、画像形成部と排紙部との間に設置され、装置内での異常発生によって印刷動作が停止したとき、印刷中もしくは印刷直後の印刷剤（トナー画像）が未定着の用紙を収容する。そして、その収容した用紙を、画像形成部の下流に設置された螺旋状ヒータ板に搬送して、その用紙に印刷剤を定着させる。
【０００６】
特許文献２に記載の画像形成装置では、機内残存用紙に対する未定着トナーの付着有無およびその付着範囲を検出するトナー付着検出部と、未定着トナーの付着範囲に基づいて定着部を定着温度に保持する定着保持時間を算出する定着保持時間算出部とを備えている。そして、未定着トナーの付着がある場合には、定着部を定着保持時間だけ定着温度に保持しつつ、機内残存用紙の定着処理および自動排出を行う一方、未定着トナーの付着がない場合には、直ちに機内残存用紙の自動排出を行う。
【０００７】
特許文献３に記載の画像形成装置では、ジャム検出時に、転写手段（定着部）に未定着トナー像の転写用紙が存在する場合、用紙上のトナー像後端位置が定着手段に進入するタイミングまで待って定着手段での用紙搬送を停止させる。
【０００８】
特許文献４に記載の画像形成装置では、定着装置（定着部）の搬送方向下流側に記録材（用紙）を積載部（排紙部）に搬送するための第一搬送経路と、片面に画像形成された後に記録材を反転させ、その記録材の反対側の面に画像形成するために記録材を搬送する第二搬送経路と、記録材を第一搬送経路又は第二搬送経路に案内するフラッパとを備えている。そして、入力された記録材のサイズと給紙収納部から給紙搬送された記録材のサイズが不一致の場合、片面モード時には画像形成された記録材を積載部に排出させ、両面モード時にはフラッパによって第二搬送経路に案内された記録材の後端が定着装置を通過した直後に搬送停止させる。
【発明の概要】
【発明が解決しようとする課題】
【０００９】
しかしながら、上述した残紙を自動的に搬送して機外に排紙する技術でも、定着部より下流でジャムが発生したときに、画像形成処理を自動停止するため、そのジャム紙より上流（つまり定着部より上流）に未定着のトナー画像が付着している残紙が存在する場合、それを定着部へ搬送できない。その場合、未定着のトナー画像が付着している残紙をユーザが除去する必要があり、その際に残紙上の未定着のトナー画像に手が触れて汚れてしまうという問題がある。
【００１０】
特許文献１に記載の画像形成装置では、ジャム発生後に印刷中もしくは印刷直後だった残紙上の未定着のトナー画像を定着できるが、そのジャム紙より上流にも未定着のトナー画像が付着している残紙が存在する場合、それを定着部へ搬送できないため、ユーザが残紙を除去（回収）する際に残紙上の未定着のトナー画像に手が触れて汚れてしまうという問題がある。
特許文献２に記載の画像形成装置では、未定着のトナー画像をユーザに触れさせないように残紙を搬送させることができるが、やはり特許文献１に記載の画像形成装置と同様の問題がある。
【００１１】
特許文献３に記載の画像形成装置では、未定着のトナー画像をユーザに触れさせずに残紙を搬送させることができるが、定着部より下流でジャムが発生したときに、そのジャム紙より上流に未定着のトナー画像が付着している残紙が存在する場合、それを定着部へ搬送できない。つまり、定着部の直後にジャム紙があった場合、定着部に残紙を通過させると、ジャム紙と追突してしまう。その結果、ジャム除去の手間が大幅に増えてしまうという問題がある。
【００１２】
特許文献４に記載の画像形成装置では、ジャム発生時（サイズ入力手段で入力された記録材のサイズと記録材検知手段で検知された記録材のサイズが不一致の場合）に残紙を搬送し、結果的にユーザに未定着のトナー画像に触れさせないようにすることができるが、搬送できない用紙が機内にある場合には、その制御を適用できない。
このような問題は、必ずしも未定着トナーに関するものに限られない。
【００１３】
この発明は、上記の点に鑑みてなされたものであり、シート材搬送装置において、シート材の搬送に異常が発生した場合のユーザによる復旧作業の負担を軽減することを目的とする。
【課題を解決するための手段】
【００１４】
この発明は、シート材を所定の搬送路に沿って複数の処理部に順次搬送するシート材搬送装置であって、上記の目的を達成するため、上記シート材の搬送異常を検出した場合に搬送を停止させる停止手段を設ける。また、上記搬送路のうち所定箇所以外の箇所が搬送異常の原因である場合には、上記停止手段がシート材の搬送を停止させた後、上記搬送路のうち上記所定箇所以外の箇所から搬送中のシート材が除去されたことを検出すると、上記所定箇所にあるシート材をその所定箇所の下流の処理部へ搬送するものである。
【発明の効果】
【００１５】
この発明のシート材搬送装置によれば、シート材の搬送に異常が発生した場合のユーザによる復旧作業の負担を軽減することができる。
【図面の簡単な説明】
【００１６】
【図１】この発明を実施するシート材搬送装置を含む画像形成装置の機構部の構成例を示す模式図である。
【図２】図１に示した画像形成装置１の制御部のハードウェア構成例を示すブロック図である。
【図３】図１に示した画像形成装置１のエンジン部内（機内）でジャムが発生した時に図２の操作部９０の表示部に表示される表示画面の一例を示す平面図である。
【図４】図２に示したエンジン制御部１１０によるジャム除去制御の工程の第１例を示すフローチャートである。
【図５】図２に示したエンジン制御部１１０によるジャム除去制御の工程の第２例を示すフローチャートである。
【図６】図２に示したエンジン制御部１１０によるジャム除去制御の工程の第３例を示すフローチャートである。
【図７】図６のジャム除去制御の工程の残りを示すフローチャートである。
【図８】図２に示したエンジン制御部１１０によるジャム除去制御の工程の第４例を示すフローチャートである。
【図９】図８のジャム除去制御の工程の残りを示すフローチャートである。
【図１０】図１に示した画像形成装置１のエンジン部内の用紙の状態を判断する方法の説明に供する説明図である。
【図１１】図１０の給紙センサ２００ａとレジストセンサ２００ｃとの間の用紙搬送時間の予め定めた標準時間からのずれと状態との関係の一例を示す説明図である。
【発明を実施するための形態】
【００１７】
以下、この発明を実施するための形態を図面に基づいて具体的に説明する。
図１は、この発明を実施するシート材搬送装置を含む画像形成装置の機構部の構成例を示す模式図である。なお、一点鎖線が所定の搬送路を示している。
この画像形成装置１は、タンデム方式のカラープリンタであり、エンジン部を構成する作像部１０、定着部２０、給紙部３０、レジスト部４０、排紙部５０、反転部６０、両面部７０、および残紙収納部８０を備えている。これらが複数の処理部に相当し、これらによって印刷（画像形成）処理（シート材である用紙の搬送を含む）を行うことができる。
【００１８】
この画像形成装置１はまた、ユーザが印刷に関わる操作等を行う操作部９０や、ここでは図示を省略するが、上記の各処理部による印刷処理の実行を制御する制御部（後述する）を備えている。
ここで、上記各部のうち、用紙（「転写紙」ともいう）の搬送およびその搬送制御を行う部分が、用紙を所定の搬送路に沿って複数の処理部に順次搬送するシート材搬送装置を構成する。
【００１９】
作像部１０は、水平方向に隣接された４つの像担持体、つまりＹ（イエロー），Ｃ（シアン），Ｍ（マゼンタ），Ｋ（ブラック）のトナー画像を生成するための４つの感光体ドラム（以下単に「感光体」ともいう）１１Ｙ，１１Ｃ，１１Ｍ，１１Ｋを備えている。また、それらと平行に接触し、Ｙ，Ｃ，Ｍ，Ｋの感光体１１Ｙ，１１Ｃ，１１Ｍ，１１Ｋとの接離機構を有する中間転写体である中間転写ベルト１２、等を備えている。
【００２０】
各感光体１１Ｙ，１１Ｃ，１１Ｍ，１１Ｋは、互いに異なる色のＹ，Ｃ，Ｍ，Ｋのトナーを用いるが、それ以外は同様の構成になっており、寿命到達時に交換される。
なお、図示は省略しているが、各感光体１１Ｙ，１１Ｃ，１１Ｍ，１１Ｋの周囲にはそれぞれ、帯電，現像，１次（中間）転写，クリーニング，除電をそれぞれ行う各処理部（帯電部，現像部，１次転写部，クリーニング部，除電部）を設けている。
【００２１】
ここで、Ｋトナー画像を生成するための感光体１１Ｋおよび各処理部の動作について説明する。
帯電部は、回転される感光体１１Ｋの表面を一様に帯電する。一様に帯電された感光体１１Ｋの表面は図示しない光書込部からのレーザ光によって露光走査され、そこにＫ用の静電潜像（静電画像）が形成される。
このＫの静電潜像は、Ｋトナーを用いる現像部によってＫトナー画像に現像される。そして、Ｋトナー画像は中間転写ベルト１２の表面に１次転写部によって１次転写される。
【００２２】
その後、図示しないクリーニング部および除電部により、感光体１０Ｋの表面がクリーニングされ、その表面の残留電荷が除電される。この除電により、感光体１０Ｋの表面が初期化され、次の印刷に備えられる。
同様にして感光体１１Ｙ，１１Ｃ，１１Ｍの表面にそれぞれＹ，Ｃ，Ｍのトナー画像が形成され、中間転写ベルト１２の表面に１次転写される。印刷順序は、ここではＹ，Ｃ，Ｍ，Ｋの順序とするが、その順序に限定されるものではなく、トナーの特性と最終的に用紙上に形成されるカラー画像の仕上り効果とに応じて決定すればよい。また、Ｙ，Ｃ，Ｍ，Ｋのフルカラー印刷だけでなく、Ｋ等の単色印刷も可能である。
【００２３】
なお、光書込部は、例えば次のような動作を行う。つまり、後述するコントローラからの画像データに基づいて光書込部内のレーザ光源を変調駆動することにより、そのレーザ光源から対応するレーザ光を射出させ、そのレーザ光を回転するポリゴンミラーにより主走査方向に走査しながら、複数の光学レンズやミラーを介してそれぞれの感光体１１Ｙ，１１Ｃ，１１Ｍ，１１Ｋの表面に照射して露光する。この露光により、感光体１１Ｙ，１１Ｃ，１１Ｍ，１１Ｋの表面にそれぞれＹ，Ｃ，Ｍ，Ｋ用の静電潜像が形成される。
【００２４】
給紙部３０は、サイズの異なる用紙がそれぞれセットされた複数の給紙トレイ３１，３２と、給紙ローラ３３，３４と、給紙センサ２００ａ，２００ｂとを備えている。
複数の給紙トレイ３１，３２にセットされた用紙は、それぞれ給紙ローラ３３，３４によって給紙され、レジスト部４０に向けて搬送される。なお、実際には各給紙トレイ３１又は３２が選択され、そこから対応する給紙ローラによって用紙が給紙される。また、用紙以外のシート材、例えばＯＨＰシートや布等を使用することもできる。
【００２５】
レジスト部４０は、レジストローラ（位置決めローラ）対４１と、レジストセンサ２００ｃとを備えている。
このレジスト部４０では、給紙部３０から搬送されてくる用紙をレジストローラ対４１によって一旦停止させて、たわみを作成することにより、用紙のスキュー補正を行う。また、その用紙を中間転写ベルト１２上のトナー画像とタイミングをとって、作像部１０の中間転写ベルト１２と２次転写ローラ１３との間の２次転写部へ向けて給送する。
【００２６】
中間転写ベルト１２には、感光体１１Ｙ，１１Ｃ，１１Ｍ，１１Ｋ上のＹ，Ｃ，Ｍ，Ｋのトナー画像が重ね合わされて１次転写される。
これにより、中間転写ベルト１２上に４色重ね合わせトナー画像（４色トナー画像）が形成される。
２次転写ローラ１３は、中間転写ベルト１２との間に２次転写ニップを形成している。
中間転写ベルト１２上に形成された４色トナー画像は、この２次転写ニップで用紙に転写される。
【００２７】
定着部２０は、２次転写ニップから送り出された用紙が通過する際に、例えばヒータ内蔵の定着ローラ２１による熱と加圧ローラ２２による圧力とにより、その用紙の片面（表面又は裏面）に転写された４色トナー画像を定着する。この定着部２０と作像部１０とにより、画像形成部としての機能を果す。
排紙部５０は、排紙ローラ対５１，排紙トレイ５２，および定着出口センサ２００ｄを備えている。この排紙部５０は、４色トナー画像が定着された用紙を、片面印刷モード（用紙の片面にのみ画像を形成するモード）時には、排紙ローラ対５１によって機外の排紙トレイ５２に排紙させる。両面印刷モード時には、搬送路上に設けている図示しない分岐爪により、用紙がこの画像形成装置１の下側に配設している反転部６０に送り込む。
【００２８】
反転部６０は、両面印刷モード時に、排紙部５０から送られてくる片面に印刷された用紙を反転するものであり、その反転した用紙を両面部７０へ送り込む。
両面部７０は、両面出口センサ２００ｅを備えている。この両面部７０は、用紙の両面に印刷を行うためのものであり、反転部６０によって反転されて搬送されてくる用紙を保留し、所定のタイミングで再給紙する。それによって、反転された用紙が再びレジストローラ対４１に搬送され、今度は裏面にカラー画像が印刷された後に排紙ローラ対５１等により排紙トレイ５２上に排紙される。
【００２９】
残紙収納部８０は、パージトレイ８１を備えている。この残紙収納部８０は、この画像形成装置１の搬送路上に残留した用紙（残紙）が搬送されてくると、その残紙をパージトレイ８１に収納する。
操作部９０は、ユーザによる印刷に関わる操作を含む各種操作の入力を受け付けるための入力部と、ユーザに情報を提示するための表示部とを備えている。なお、外付けの操作部を用いてもよいことは勿論である。
【００３０】
給紙センサ２００ａ，２００ｂ、レジストセンサ２００ｃ、定着出口センサ２００ｄ、両面出口センサ２００ｅはそれぞれ、用紙の搬送方向の先端又は後端を検知する用紙検知センサである。これらの用紙検知センサの符号は、個体を区別しない場合には符号２００を用いる場合もある。また、用紙の搬送方向の先端を以下単に「用紙の先端」と、用紙の搬送方向の後端を以下単に「用紙の後端」と云う。
これらの用紙検知センサ２００によって機内の用紙の状態を検知することができるが、例えばジャム（用紙の詰まり）や用紙のダメージの有無を判断（検知）する条件は以下の（１）と（２）に示す通りである。
【００３１】
（１）用紙が用紙検知センサ２００を通過するはずのタイミングになっても、その用紙検知センサ２００がオンにならない場合
（２）用紙検知センサ２００がオンになってから一定時間経過しても、その用紙検知センサ２００がオフにならない場合
なお、ジャムや用紙のダメージの有無を判断する具体的な方法については追って詳細に説明する。
【００３２】
図２は、図１に示した画像形成装置１の制御部のハードウェア構成例を示すブロック図である。なお、説明の便宜上、後述するＩ／Ｏ制御部１１４に接続されているセンサおよびモータとしては、用紙搬送モータ１２０，用紙検知センサ２００，およびドア開閉検知センサ２０１しか示していないが、実際には印刷処理に関わる他のセンサやモータも存在する。
この画像形成装置１の制御部は、図２に示すように、コントローラ部１００と、エンジン制御部１１０とを備えている。
【００３３】
コントローラ部１００は、パーソナルコンピュータ等の外部装置からのデータに基づいて印刷用の画像データを生成する。
エンジン制御部１１０は、印刷処理（用紙の搬送を含む）の制御を行うものであり、ＣＰＵ１１１、ＲＡＭ１１２、ＲＯＭ１１３、Ｉ／Ｏ制御部１１４、およびＮＶＲＡＭ１１５を備え、それらとコントローラ部１００がバス１０５によって接続されている。
ＣＰＵ１１１は、コントローラ部１００から入力される画像データの受信および制御コマンドの送受信制御をはじめ、画像形成装置１全体の制御を行う。
【００３４】
ＣＰＵ１１１はまた、ワーク用として用いるＲＡＭ１１２、プログラムを記憶するＲＯＭ１１３、Ｉ／Ｏ制御部１１４、およびＮＶＲＡＭ１１５がバス１０５を介して相互に接続されているため、次の処理を行うことができる。つまり、プログラムを実行し、自己からの指示により、データのリード／ライト処理、用紙検知センサ２００およびドア開閉検知センサ２０１の各出力の検知、および操作部９０からの入力の検知を行い、それらの処理結果や検知結果に基づいて、用紙搬送に関わる用紙搬送モータ１２０の駆動制御を含む各種制御を行い、操作部９０の表示部への必要な操作画面の表示制御等を行う。
【００３５】
用紙検知センサ２００は、図１の給紙センサ２００ａ，２００ｂ、レジストセンサ２００ｃ、定着出口センサ２００ｄ、両面出口センサ２００ｅに相当するものである。なお、代表的なもののみ図示したが、搬送路上の用紙の位置が適切に検知できる程度に、随所に（例えばレジストセンサ２００ｃと定着出口センサ２００ｄとの間に）用紙検知センサ２００を配置するとよい。
【００３６】
ＲＡＭ１１２は、ＲＯＭ１１３に記憶されているプログラムを実行する際のワークエリアとして使用される。
このＲＡＭ１１２は揮発性メモリのため、必要なパラメータ等のデータは不揮発性メモリであるＮＶＲＡＭ１１５に記憶しておく。
そして、電源オン時もしくは制御時に、ＣＰＵ１１１がＮＶＲＡＭ１１５内のデータをＲＡＭ１１２上に展開する。
ユーザは、操作部９０上の表示画面を参照することで、用紙の搬送状況やジャム発生状況（残紙の位置など）を把握することができる。
【００３７】
図３は、図１に示した画像形成装置１のエンジン部内（機内）でジャムが発生した時に図２の操作部９０の表示部に表示される表示画面の一例を示す平面図である。
この例の表示画面では、画像形成装置１内のＡ，Ｂの箇所に用紙が残留していることを示している。ユーザは、この表示画面を見て残紙の位置を確認し、残紙を取り除き、回収する。
【００３８】
以下、図２に示したエンジン制御部１１０によるジャム発生からジャム除去完了までのジャム除去制御の工程（手順）の各実施例について説明する。
〔第１実施例〕
まず、第１実施例について説明する。
図４は、図２に示したエンジン制御部１１０によるジャム除去制御の工程の第１例を示すフローチャートである。
【００３９】
画像形成装置１のエンジン制御部１１０は、機内で搬送異常であるジャムが発生し、そのジャムを用紙検知センサ２００によって検知した場合（ジャム有りと判断した場合）に、図４のジャム除去制御を開始する。
そして、まずステップＳ１で機内に残存する全ての用紙の搬送を停止させる。この処理を行う機能が、停止手段としての機能に相当する。
次に、ステップＳ２ヘ進み、ジャムを図１のレジストセンサ２００ｃ又は定着出口センサ２００ｄで検知した（Ｙｅｓ）か否（Ｎｏ）かを判断する。この判断は、トナー画像が未定着の状態で付着している（未定着のトナー画像が付着している）残紙が搬送可能な状態にあるか否かを判断するために行う。
【００４０】
ここで、この実施形態では、搬送路のうち２次転写部に用紙の先端が入ってからその用紙の搬送方向後端が定着部２０から出るまでの箇所が、用紙に転写されたトナー画像が未定着の状態でその用紙に付着している箇所（ここではこれを「所定箇所」とする）である。そして、ジャム発生時にレジストセンサ２００ｃ又は定着出口センサ２００ｄにより検出される位置にある残紙に、未定着のトナー画像が付着しているものとして取り扱う。よって、ジャムをレジストセンサ２００ｃ又は定着出口センサ２００ｄで検知した場合、ジャムとした残紙（ジャム紙）は未定着のトナー画像が付着しており、且つ搬送不可能な状態にあると判断することになる。
厳密には、レジストセンサ２００ｃ又は定着出口センサ２００ｄによって検出されるからといって実際に未定着トナーが付着しているとは限らないが、実際に装置を動作させる上ではこのように取り扱って差し支えない。
【００４１】
なお、ジャムをレジストセンサ２００ｃで検知する場合のうち、用紙の後端がレジストセンサ２００ｃを想定通りのタイミングで抜けず（レジストセンサ２００ｃが想定通りのタイミングでオフにならず）、ジャムとして検知した場合には、用紙の先端に未定着のトナー画像が転写されているとする。よって、レジストセンサ２００ｃでジャムとして検知した残紙も、未定着のトナー画像が付着しており、且つ搬送不可能な状態であると判断することにする。
【００４２】
また、残紙への未定着のトナー画像の付着有無は、印刷動作中の用紙搬送速度と用紙が各センサに到達・通過してからの経過時間とに基づいて搬送路上の用紙位置を正確に算出し、その算出結果と搬送路上の２次転写部（中間転写ベルト１２と２次転写ローラ１３との間の転写部）と定着部２０との位置関係とに基づいて判断しても良い。
【００４３】
エンジン制御部１１０は、図４のステップＳ２において、Ｙｅｓと判断した場合にはステップＳ３へ進み、Ｎｏと判断した場合にはステップＳ７へ進む。
ステップＳ３では、上述の通り、未定着のトナー画像が付着している残紙も搬送不可能な状態であると判断して、機内の残紙検知対象センサを全ての用紙検知センサ２００（全センサ）とし、ステップＳ４へ進む。
【００４４】
ステップＳ７では、搬送路のうち所定箇所以外の箇所がジャムの原因であるため、未定着のトナー画像が付着している残紙は搬送可能な状態であると判断して、機内の残紙検知対象センサをレジストセンサ２００ｃおよび定着出口センサ２００ｄ以外の用紙検知センサ２００として、ステップＳ４へ進む。
ステップＳ４では、機内の残紙検知対象センサにて残紙の検知を行う。
次のステップＳ５では、その検知結果に基づいて残紙の有無を判断（チェック）する。
そして、残紙があると判断した場合にはステップＳ６へ進み、機内の残紙の位置を操作部９０の表示部９１に表示して、その残紙を除去することを促す通知をユーザに対して行う。
【００４５】
すなわち、ステップＳ３で機内の残紙検知対象センサを全ての用紙検知センサ２００とした場合には、ステップＳ４でその用紙検知センサ２００によって検知した機内の全残紙の位置を操作部９０の表示部９１に表示して、その全残紙を除去することを促す通知をユーザに対して行う。ステップＳ７で機内の残紙検知対象センサをレジストセンサ２００ｃおよび定着出口センサ２００ｄ以外の用紙検知センサ２００とした場合には、レジストセンサ２００ｃおよび定着出口センサ２００ｄが検知した用紙を無視することにより、ステップＳ４でそれら以外の用紙検知センサ２００によって検知した機内の未定着のトナー画像が付着している残紙以外の残紙の位置を操作部９０の表示部９１に表示して、その残紙を除去することを促す通知をユーザに対して行う。この処理を行う機能が、通知手段としての機能に相当する。
【００４６】
ステップＳ６の処理が完了した後は、ステップＳ４へ戻り、以後上述と同様の処理を行う。
その後、ステップＳ５で残紙がないと判断した場合には、搬送路のうちその時点の残紙検知対象センサが検出する箇所から搬送中の用紙（残紙）がユーザによって除去されたと判断して（除去されたことを検出して）ステップＳ８へ移行し、機内の残紙検知対象センサをレジストセンサ２００ｃおよび定着出口センサ２００ｄに変更して、ステップＳ９へ進む。
ステップＳ９では、機内の残紙検知対象センサにて残紙の検知を行う。
次のステップＳ１０では、その検知結果に基づいて残紙の有無を判断する。
【００４７】
そして、残紙がないと判断した場合には、そのまま図４のジャム除去制御を終了する。
また、残紙があると判断した場合には、ステップＳ１１へ進み、図１の定着部２０を立ち上げて（定着ローラ２１内のヒータへの通電をオンにして）未定着トナーを残紙に定着させられる状態にする。このとき、画質は問わないため、定着ローラ２１の表面温度である定着温度を通常の印刷（搬送）時より低くしてもよい。
その後、ステップＳ１２へ進み、残紙の搬送を再開させることにより、残紙を定着部２０を通過させ、パージトレイ８１へ搬送させて排紙させ、図４のジャム除去制御を終了する。
【００４８】
ここで、エンジン制御部１１０がステップＳ１０で残紙があると判断するのは、ステップＳ２でＮＯとなり、残紙検知対象センサからレジストセンサ２００ｃ及び定着出口センサ２００ｄを除いた状態でステップＳ５の判断を行ったケースである。
この場合、ステップＳ５でＮＯとなっても、レジストセンサ２００ｃ及び定着出口センサ２００ｄにより検知する箇所には用紙が残っている可能性がある。そして、この位置の残紙は、トナー画像が未定着の状態で用紙に付着していると考えられる。一方、ステップＳ２でこの位置の残紙がジャムの原因でないことは確認済みであり、従って搬送を続けることが可能であると考えられる。
【００４９】
そこで、ステップＳ４〜Ｓ６の段階でこれらの用紙をユーザに除去させることなく、後でステップＳ１１，Ｓ１２の処理を行って、未定着のトナー画像を定着させた上でパージトレイ８１に排紙することにより、ユーザが未定着のトナー画像に触れなくても、画像形成装置１をジャムのない状態に復帰させることができる。
逆に、ステップＳ２でＹＥＳとなった場合、ステップＳ５とＳ１０では残紙検知対象センサが共通であるので、判断結果は同じになるはずであり、ステップＳ１０でＹＥＳとなることはない。
【００５０】
このように、第１実施例によれば、画像形成装置１が、用紙（シート材）の搬送異常であるジャムを検出し、搬送路のうち所定箇所以外の箇所がジャムの原因である場合には、用紙の搬送を停止させた後、搬送路のうち所定箇所以外の箇所から搬送中の用紙が除去されたことを検出すると、所定箇所にある用紙をその所定箇所の下流の処理部である定着部２０へ搬送する。したがって、所定箇所にある用紙にユーザが触れずに済むため、トナーで手が汚れることがなくなり、用紙の搬送に異常が発生した場合のユーザによる復旧作業の負担を軽減することができる。
【００５１】
また、搬送路のうち所定箇所以外の箇所が搬送異常の原因である場合に、用紙の搬送を停止させた後、搬送路上にある用紙の位置を検出し、ユーザに搬送路のうち所定箇所以外の箇所にある用紙を除去することを促す通知を行う。搬送路のうち所定箇所に用紙があっても、その用紙については除去することを促す通知を行わない。そうすれば、ユーザは所定箇所以外の箇所にある用紙のみを除去し、所定箇所の残紙の有無を確認することがないため、作業効率の向上につながる。
さらに、搬送路のうち所定箇所以外の箇所から搬送中の用紙が除去されたことを検出したことに応じて所定箇所の用紙を定着部２０へ搬送する場合、その定着部２０の定着温度を通常の搬送時よりも低くする。そうすれば、電力消費を低減することができる。
【００５２】
〔第２実施例〕
次に、第２実施例について説明する。
図５は、図２に示したエンジン制御部１１０によるジャム除去制御の工程の第２例を示すフローチャートである。
この第２実施例のジャム除去制御のうち、図５のステップＳ２２〜Ｓ２８，Ｓ３２〜Ｓ３６の処理および判断は図４のステップＳ１〜Ｓ１２の処理および判断と同様である。
【００５３】
この第２実施例では、画像形成装置１のエンジン制御部１１０は、機内で搬送異常であるジャムが発生し、そのジャムを用紙検知センサ２００によって検知した場合に、図５のジャム除去制御を開始する。
そして、まずステップＳ２１でジャムは２次転写部より上流側の給紙センサ２００ａ又は２００ｂで検知した（Ｙｅｓ）か否（Ｎｏ）かを判断し、Ｎｏと判断すればステップＳ２２〜Ｓ２８，Ｓ３２〜Ｓ３６で図４のステップＳ１〜Ｓ１２と同様の処理を行う。
【００５４】
また、ステップＳ２１でＹｅｓと判断した場合には、ステップＳ２９へ移行し、給紙中の残紙でジャムは発生したが、機内で先行する用紙の印刷動作は継続可能と判断して、給紙搬送のみ停止させる。
その後、ステップＳ３０へ進み、給紙搬送以外の印刷動作、つまり機内で先行する用紙の印刷動作の完了を待つ。
【００５５】
そして、機内で先行する用紙の印刷動作が完了したと判断した場合に、ステップＳ３１へ進んで、残紙検知対象センサを給紙センサ２００ａおよび２００ｂとする。
その後、ステップＳ２５〜Ｓ２７の処理を行うことによって給紙中の残紙がユーザによって除去され、ステップＳ２６で機内に残紙がないと判断した場合に、ステップＳ３２以降の処理を行う。
【００５６】
ここで、ステップＳ２９〜Ｓ３０，Ｓ２５〜Ｓ２７の処理を行うことにより、２次転写部より上流側でジャムが発生した場合、そのジャム発生箇所より下流側では搬送完了まで用紙の搬送が続き、２次転写部より上流側に存在するジャム原因となった給紙中の残紙のみが給紙センサ２００ａ，２００ｂによって検知される。
そのため、このケースにおいてユーザは、給紙中の残紙のみ除去すれば、画像形成装置１をジャムのない状態に復帰させることができる。従って、除去すべき残紙の枚数は少なくて済むし、未定着のトナー像が形成された残紙を除去する必要もない。
【００５７】
このように、第２実施例によれば、第１実施例と同様の作用効果に加え、以下に示す作用効果を得ることもできる。
すなわち、画像形成装置１が、２次転写部より上流側で用紙の搬送異常であるジャムが発生した場合、搬送の停止に関わらず、そのジャム発生箇所より下流側では搬送完了まで用紙の搬送を続ける。そうすれば、ジャムが発生しても、可能な範囲で印刷動作中の用紙を印刷することができるため、除去すべき用紙の枚数や再印刷すべき用紙の枚数を低減し、ジャム解消のためのユーザの作業負担を低減することができる。
【００５８】
〔第３実施例〕
次に、第３実施例について説明する。
図６，図７は、図２に示したエンジン制御部１１０によるジャム除去制御の工程の第３例を示すフローチャートである。
この第３実施例のジャム除去制御のうち、図６，図７のステップＳ４１，Ｓ４２，Ｓ４５〜Ｓ５８の処理および判断は図５のステップＳ２１〜Ｓ３６の処理および判断と同様である。
【００５９】
この第３実施例では、画像形成装置１のエンジン制御部１１０は、図６のステップＳ４２において機内に残存する全ての用紙の搬送を停止させた後、ステップＳ４３へ進んで、再使用可能な位置である給紙センサ２００ａ又は２００ｂの位置に給紙中（搬送中）の残紙がある（Ｙｅｓ）か否（Ｎｏ）かを判断する。
そして、ステップＳ４３でＮｏと判断した場合には、そのままステップＳ４５へ進む。
また、ステップＳ４３でＹｅｓと判断した場合には、ステップＳ４４へ進み、給紙センサ２００ａ又は２００ｂの位置にある給紙中の残紙は白紙状態であるため、その残紙を給紙開始位置（搬送開始位置）にある給紙トレイ３１又は３２に戻すように逆搬送させた後、ステップＳ４５へ進む。
【００６０】
なお、この第３実施例では、給紙センサ２００ａ，２００ｂの位置を再使用可能な位置として、その位置に残紙があるか否かを判断するようにしたが、給紙センサ２００ａ，２００ｂの位置以外の位置（但しジャムが発生した箇所よりも上流側で且つ給紙した用紙を給紙開始位置に戻せる位置とする）も再使用可能な位置とするようにしてもよい。
また、この第３実施例は第２実施例の図５に示したジャム除去制御に図６，図７のステップＳ４３，Ｓ４４の処理および判断を加えたものであるが、そのステップＳ４３，Ｓ４４の処理および判断を第１実施例の図４に示したジャム除去制御に加えることもできる。
【００６１】
第３実施例によれば、第１又は第２実施例と同様の作用効果に加え、以下に示す作用効果を得ることもできる。
すなわち、画像形成装置１が、用紙の搬送を停止させた後、用紙の搬送に異常が発生した箇所よりも上流側の再使用可能な位置に搬送中の用紙がある場合、そのシート材を上流側へ逆搬送して搬送開始位置へ戻す。そうすれば、一度搬送された用紙でも白紙状態であれば再利用することができ、用紙の節約につながる。
【００６２】
〔第４実施例〕
次に、第４実施例について説明する。
図８，図９は、図２に示したエンジン制御部１１０によるジャム除去制御の工程の第４例を示すフローチャートである。
この第３実施例のジャム除去制御のうち、図８，図９のステップＳ６１〜Ｓ６４，Ｓ６６〜Ｓ７０，Ｓ７２〜Ｓ７４，Ｓ７６〜Ｓ８１の処理および判断は、それぞれ図６，図７のステップＳ４１〜Ｓ４４，Ｓ４５〜Ｓ４９，Ｓ５０〜Ｓ５２，Ｓ５３〜Ｓ５８の処理と対応するものである。また、ステップＳ６５，Ｓ７１，Ｓ７５の処理が、図６及び図７の処理に追加されている。
【００６３】
この第４実施例では、画像形成装置１のエンジン制御部１１０は、図８のステップＳ６３でＹｅｓと判断した場合（給紙センサ２００ａ又は２００ｂの位置に給紙中の残紙がないと判断した場合）、もしくはＮｏと判断してステップＳ６４で給紙中の残紙を給紙開始位置にある給紙トレイ３１又は３２に戻すように逆搬送させた後、ステップＳ６５へ進んで、ジャムとした残紙にダメージがあるかないか（ジャム紙のダメージの有無）を判断する。
そして、ジャムとした残紙にダメージがあると判断した場合には、ステップＳ６６へ進むが、ダメージがないと判断した場合には、ステップＳ７１へ進む。
【００６４】
一方、図８のステップＳ７４において、機内で先行する用紙の印刷動作が完了したと判断した場合に、ステップＳ７５でもジャムとした残紙にダメージがあるかないかを判断する。
そして、ジャムとした残紙にダメージがあると判断した場合には、ステップＳ７６へ進むが、ダメージがないと判断した場合には、ステップＳ７１へ進む。
ステップＳ７１では、機内の残紙検知対象センサを全ての用紙検知センサ２００（全センサ）として、図９のステップＳ７８へ進む。
【００６５】
よって、ステップＳ７８〜Ｓ８１の処理により、ジャムとした残紙も含め機内の残紙を全てパージトレイ８１へ向けて搬送を再開することになる。
したがって、ジャムとした残紙のうち、ダメージがない残紙についてはパージトレイ８１へ排紙されることになり、その分だけ第１〜第３実施例に比べてユーザが残紙を除去する手間を軽減できる。
【００６６】
次に、図１に示した画像形成装置１のエンジン部内（機内）の用紙の状態（ジャムの有無およびジャム紙のダメージの有無）を判断する方法について説明する。なお、説明の便宜上、用紙の状態を給紙センサ２００ａとレジストセンサ２００ｃとを用いて判断する場合について説明するが、どの用紙検知センサ２００を用いても用紙の状態を判断することができる。
【００６７】
図１０は、機内の用紙の状態を判断する方法の説明に供する説明図である。
この図１０において、「ｄ１」は用紙５００の搬送方向長を、「ｄ２」は給紙センサ２００ａとレジストセンサ２００ｃとの距離を示している。なお、用紙５００の搬送速度（線速）を「ｖ」とする。
【００６８】
図１１は、図１０の給紙センサ２００ａとレジストセンサ２００ｃとの間の用紙搬送時間の予め定めた標準時間からのずれと状態との関係の一例を示す説明図である。
図２のエンジン制御部１１０内のＲＯＭ１１３又はＮＶＲＡＭ１１５には、図１０の給紙センサ２００ａとレジストセンサ２００ｃとの間の用紙搬送時間の標準時間からのずれと状態との関係を示すデータが予め格納されている。
【００６９】
図２のエンジン制御部１１０のＣＰＵ１１１は、時間計測を行う機能を有しており、給紙センサ２００ａのオン検知（用紙５００の先端の検知）からレジストセンサ２００ｃのオン検知までの時間ｔａ（ｄ２／ｖ）を計測する。また、レジストセンサ２００ｃのオン検知からレジストセンサ２００ｃのオフ検知（用紙５００の後端の検知）までの時間ｔｂ（ｄ１／ｖ）を計測する。これら時間（用紙５００の搬送状態）の計測（検出）を行う機能が、搬送状況検出手段としての機能に相当する。
【００７０】
ここで、ＣＰＵ１１１がジャムの有無を判断するため、この範囲ならジャムが発生していないと判断できる実際の搬送時間の標準時間からのずれの許容範囲（以下「ジャム発生マージン」という）Ｍ１を「１００ｍｓｅｃ」としている。それに対して、ＣＰＵ１１１がジャム紙のダメージの有無を判断するため、この範囲なら用紙にダメージがないと判断できる実際の搬送時間の標準時間からのずれの許容範囲（以下「ダメージ発生マージン」という）Ｍ２を「１３０ｍｓｅｃ」としている。これは、本来のジャム発生時間よりも想定以上に用紙の搬送時間がずれた場合、その用紙は「蛇腹状」または「破損（泣き別れ）」の状態、つまり搬送不可能な状態になっているという考えに基づいている。
なお、標準時間については、ｄ１、ｄ２及びｖの設計値に基づき、適宜キャリブレーションを行って定めることができる。
【００７１】
ＣＰＵ１１１は、計測時間ｔａと図１１に示すデータ（但し「ｔ＝ｔａ」とする）とに基づいて用紙５００の状態を判断する。また、計測時間ｔｂと図１１に示すデータ（但し「ｔ＝ｔｂ」とする）とに基づいて用紙５００の状態を判断する。
すなわち、計測時間ｔａ，ｔｂの標準時間からのずれＷが１００ｍｓｅｃ以内の場合には、用紙５００の状態をジャム発生無しで且つダメージ無しと判断する。
また、計測時間ｔａ又はｔｂの標準時間からのずれＷが１００ｍｓｅｃを超えた場合には、用紙５００の状態をジャム発生有りと判断する。この場合、例えば図８，図９のジャム除去制御を開始することになる。
【００７２】
さらに、計測時間ｔａ又はｔｂの標準時間からのずれＷが１３０ｍｓｅｃを超えた場合には、用紙５００の状態をダメージ有りと判断する。図８のステップＳ６５又はＳ７５では、ジャムとした残紙にダメージ有りと判断することになる。
さらにまた、計測時間ｔａ又はｔｂの標準時間からのずれＷが１００ｍｓｅｃを超えているが、１３０ｍｓｅｃ以内の場合には、用紙５００の状態をダメージ無しと判断する。図８のステップＳ６５又はＳ７５では、ジャムとした残紙にダメージ無しと判断することになる。
【００７３】
なお、給紙ローラ３３やレジストローラ対４１のスリップ等により用紙の搬送タイミングが遅れると、トナー画像を用紙の適切な位置に転写できない。そのため、ダメージがなくても搬送タイミングが想定通りでなければジャム発生となる。
そのため、この実施形態におけるダメージがないジャム紙（ジャムとした残紙）とは、上記スリップ等により計測時間ｔａ又はｔｂの標準時間からのずれＷが１００ｍｓｅｃを超えるが、１３０ｍｓｅｃ以内となるジャム紙を想定しており、そのジャム紙であればそのまま搬送を再開できる。
【００７４】
また、この第４実施例は第３実施例の図６，図７に示したジャム除去制御に図８，図９のステップＳ６５，Ｓ７１，Ｓ７５の処理および判断を加えたものであるが、そのステップＳ４３，Ｓ４４の処理および判断を第１実施例の図４に示したジャム除去制御又は第２実施例の図５に示したジャム除去制御に加えることもできる。
【００７５】
第４実施例によれば、第１〜第３実施例のいずれかと同様の作用効果に加え、以下に示す作用効果を得ることもできる。
すなわち、用紙の搬送を停止させた後、その用紙の搬送状態の検出結果に基づき、搬送路上に停止している用紙にダメージがないと判断した場合、その停止している用紙について搬送を再開する。そうすれば、ダメージの無い残紙をユーザが手動で取り除く手間がなくなる。
【００７６】
以上で実施形態の説明を終了するが、この発明において、各部の具体的な構成、処理の内容等は、実施形態で説明したものに限るものではない。
例えば、この発明を、シート材搬送装置を備え、複数個の感光体ドラム上にそれぞれ形成される複数個の静電潜像を複数色のトナー（現像剤）で色版毎に現像し、その各色版のトナー画像を中間転写ベルト上に順次重ね合わせて転写することによりカラー画像形成を行うカラープリンタに適用した実施形態について説明したが、この発明はこれに限らない。
【００７７】
すなわち、シート材搬送装置を備え、上記のようなカラー画像形成を行うデジタルカラー複写機，デジタルカラー複合機，又はカラーファクシミリ装置等の他の画像形成装置にこの発明を適用可能である。
また、シート材搬送装置を備え、１個の感光体ドラム上に順次形成される複数個の静電潜像を複数色のトナーで色版毎に順次現像し、その各色版のトナー画像を中間転写ベルト上に順次重ね合わせて転写することによりカラー画像形成を行う画像形成装置にもこの発明を適用可能である。
【００７８】
さらに、シート材搬送装置を備え、上記の感光体ドラムを感光体ベルトに、上記の中間転写ベルトを中間転写ドラムにした画像形成装置にも適用可能である。
さらにまた、シート材搬送装置を備えたモノクロ等の単色の画像形成装置や２色又は３色等の色数の画像形成装置にも、この発明を適用可能である。
また、画像形成装置以外の装置において用いるシート材搬送装置にもこの発明を適用することができる。
さらに、所定箇所は実施形態のものに限られない。トナーと無関係に定めてもよい。
さらにまた、以上説明してきた実施形態、動作例、および変形例の構成は、相互に矛盾しない限り任意に組み合わせて実施可能であることは勿論である。
【符号の説明】
【００７９】
１：画像形成装置    １０：作像部    １１Ｙ，１１Ｃ，１１Ｍ，１１Ｋ：感光体ドラム
１２：中間転写ベルト    １３：２次転写ローラ    ２０：定着部    ２１：定着ローラ
２２：加圧ローラ    ３０：給紙部    ３１，３２：給紙トレイ
３３，３４：給紙ローラ    ４０：レジスト部    ４１：レジストローラ対
５０：排紙部    ５１：排紙ローラ対    ５２：排紙トレイ    ６０：反転部
７０：両面部    ８０：残紙収納部    ８１：パージトレイ    ９０：操作部
９１：表示部    １００：コントローラ部    １０５：バス    １１０：エンジン制御部
１１１：ＣＰＵ    １１２：ＲＡＭ    １１３：ＲＯＭ    １１４：Ｉ／Ｏ制御部
１１５：ＮＶＲＡＭ    １２０：用紙搬送モータ    ２００：用紙検知センサ
２０１：ドア開閉検知センサ    ２００ａ，２００ｂ：給紙センサ
２００ｃ：レジストセンサ    ２００ｄ：定着出口センサ    ２００ｅ：両面出口センサ
【先行技術文献】
【特許文献】
【００８０】
【特許文献１】特開２００９−２０４７２２号公報
【特許文献２】特開２００６−０６５０１６号公報
【特許文献３】特開２０１１−０３３９０５号公報
【特許文献４】特開２００８−２６８６４１号公報
【図１】
2014038144.tif 000003
【図２】
2014038144.tif 000004
【図３】
2014038144.tif 000005
【図４】
2014038144.tif 000006
【図５】
2014038144.tif 000007
【図６】
2014038144.tif 000008
【図７】
2014038144.tif 000009
【図８】
2014038144.tif 000010
【図９】
2014038144.tif 000011
【図１０】
2014038144.tif 000012
【図１１】
2014038144.tif 000013